(57)【要約】【課題】  集塵機及び収納袋内部の収納物を保護できる収納袋の安全弁を提供する。【解決手段】  第一弁体１は、収納袋の内面に取り付けられ、収納袋の内面に貼り付けられる個所には第一ねじ環が設けられている。第一ねじ環は、収納袋の外へ貫き出て、底部に第一主吸気パスが設けられて収納袋の内部まで貫通し、第一主吸気パスの上端にバルブが形成されている。第二弁体２は、第一ねじ環に対応する個所に第二ねじ環が設けられ、第一ねじ環にねじ付けられて収納袋の外に位置している。第二ねじ環には、第一主吸気パスに対応する圧迫リングが設けられ、圧迫リングには外界と連通できる第二主吸気パス２３及び第二主吸気パス２４が設けられている。バルブシートは、第一主吸気パスの上端バルブ及び圧迫リングの間に覆い被さり、周囲に空気流通部とする複数の欠け口が設けられている。【選択図】    図１
0003110834.tif 000002
【実用新案登録請求の範囲】
【請求項１】
収納袋の安全弁であって、
第一弁体は収納袋の内面に取り付けられ、収納袋の内面に貼り付けられる個所には第一ねじ環が設けられて第一ねじ環は収納袋の外へ貫き出て、第一ねじ環の底部には第一主吸気パスが設けられて収納袋の内部まで貫通し、第一主吸気パスの上端にバルブが形成され、第二弁体は第一弁体の第一ねじ環に対応する個所に第二ねじ環が設けられ、第一ねじ環にねじ付けられて収納袋の外に位置し、第二ねじ環には第一弁体の第一主吸気パスに対応する圧迫リングが設けられ、圧迫リングには外界と連通可能な第二主吸気パスが設けられ、バルブシートは第一主吸気パスの上端バルブ及び圧迫リングの間に覆い被さり、それの周囲には空気流通部とする複数の欠け口が設けられ、集塵機が収納袋内の空気の吸い過ぎを防止する安全弁が構成されていることを特徴とする収納袋の安全弁。
【請求項２】
第一ねじ環は、周囲に互いに連接しない二本の外ねじを含み、第二ねじ環内には内ねじが設けられていることを特徴とする請求項１記載の収納袋の安全弁。
【請求項３】
第二弁体は、両側にそれぞれ第二主吸気パスと連通する副吸気パスが設けられていることを特徴とする請求項１記載の収納袋の安全弁。
【請求項４】
副吸気パスは、第二弁体外にある複数のゲート状気孔、第二ねじ環に設けられている複数の径方向孔及び圧迫リングの端部に設けられている複数の溝から構成されていることを特徴とする請求項１または請求項３記載の収納袋の安全弁。
【請求項５】
第二主吸気パスは、圧迫リングの傍に設けられるものを含むことを特徴とする請求項１記載の収納袋の安全弁。
【考案の詳細な説明】
【技術分野】
【０００１】
本考案は、収納袋の安全弁に関するもので、特に、収納袋に応用される安全排気弁の構造改善を指すものである。
【背景技術】
【０００２】
周知の衣類収納袋が衣類の収納に提供されると、袋内の空気は吸出され、容積を縮小して収納されるので、通常は収納袋に排気弁が設けられている。前述排気弁の簡単な実施方法として、収納袋の選定された周辺に熱熔融によって排気隙間が設けられ、自分で収納袋内の空気を押し出すことに供される。もう一つの実施方式は、収納袋の選定個所に排気弁が設けられて集塵機のホースの接続に供され、それによって、快速に袋内の空気を吸い出す。
【０００３】
前述集塵機のホースに接続して使用される収納袋の排気弁の構造は、収納袋内に連通する気孔が設けられ、気孔個所には開閉に使われる弁シートが設けられ、気孔は集塵機のホースに接続されて吸気した後も継続して収納袋内から空気を吸い出すだけで、外界から適当に空気を補充することができず、そのために、袋内の空気が吸われ尽きてしまうと、集塵機を冷却する空気がなくなってしまい、モータが焼き付いてしまうことがある。集塵機を使って収納袋を真空状態にして衣類を収納すると、布地が変質したり、色褪せたりする現象が起こりやすいので、それは理想的なものであると言えない。
【考案の開示】
【考案が解決しようとする課題】
【０００４】
本考案の主要目的は、収納袋の安全弁を提供するもので、安全弁の主吸気パス及び副吸気パスの構造改善により、かつ弁体とバルブシートが主吸気パスの開閉機構を制御することに合わせ、集塵機が収納袋内の空気を吸い出し過ぎることを防止し、集塵機及び収納袋内部の収納物を保護する。
【課題を解決するための手段】
【０００５】
収納袋の安全弁の一種で、それは、第一弁体、第二弁体及びバルブシートから構成され、第一弁体は収納袋の選定個所の内面に取り付けられ、収納袋の内面に貼り付けられる個所には第一ねじ環が設けられ、第一ねじ環には二本の連接しないねじが設けられ、かつ第一ねじ環の底部には第一主吸気パスが設けられて収納袋の内部まで貫通し、それによって、第一主吸気パスの上端にバルブが形成される。第二弁体の第一弁体の第一ねじ環に対応する個所に第二ねじ環が設けられ、かつ第一ねじ環にねじ付けられて収納袋の外に位置し、第二ねじ環には第一弁体の第一主吸気パスに対応する圧迫リングが設けられ、圧迫リングには外界と連通できる第二主吸気パスが設けられている。バルブシートは第一主吸気パスの上端バルブ及び圧迫リングの間に覆い被さり、それの周囲には空気の流通に供される複数の欠け口が設けられ、それによって、収納袋の安全弁が構成され、集塵機が主吸気パスから収納袋の空気を吸い出すと同時に、副吸気パスから適当に外界の空気を補充し、集塵機の乾吸過熱を防止し、並びに収納袋内に適当な空気を残して内部の収納物を保護する。
【考案を実施するための最良の形態】
【０００６】
図面に示すように、本考案の一実施例による収納袋の安全弁は、収納袋の選定個所に取り付けられる安全吸気弁であり、第一弁体１、第二弁体２及びバルブシート３から構成されている。
【０００７】
図２から図４に示すように、第一弁体１は収納袋４の選定個所内面の環状構造体に取り付けられ、収納袋４の内面に貼り付けられる個所には収納袋４の外側へ突き出る中空状の第一ねじ環１１が設けられ、第一ねじ環１１の周囲には互いに連接しない外ねじ１１１及び外ねじ１１２が設けられ、かつ第一ねじ環１１の底部には収納袋４の内部まで貫通する第一主吸気パス１２が設けられ、第一主吸気パス１２の上端には階段状のバルブポート１３が形成されている。
【０００８】
図２、図３及び図５に示すように、第二弁体２は第一弁体１に組み合わせられる環状の構造体で、それの第一ねじ環１１に対応する個所には中空状の第二ねじ環２１が設けられ、その内面には内ねじ２１１が設けられ、かつ第一弁体１の第一ねじ環１１に締め付けられて収納袋４の外側に位置し、第二ねじ環２１には第一主吸気パス１２に対応する圧迫リング２２が設けられ、圧迫リング２２の中間及び傍には外界と連通する第二主吸気パス２３及び第二主吸気パス２４が設けられ、かつ第二弁体の外側には第二主吸気パス２３及び第二主吸気パス２４と連通する複数個の副吸気パス２５が設けられている。前述副吸気パス２５は第二弁体２の両側にそれぞれ複数のゲート状気孔２５１が設けられ、第二ねじ環２１に複数の径方向通気孔２５２が設けられ、並びに圧迫リング２２の端部に複数の溝２５３が設けられ、これによって、第二主吸気パス２３及び第二主吸気パス２４と連通するように構成されている。
【０００９】
図２及び図３に示すように、バルブシート３は上述第一主吸気パス１２の上端のバルブポート１３及び圧迫リング２２の間に覆い被さるシートで、それの直径は第一ねじ環１１よりやや小さく、かつ周囲には空気の流通部に供される複数個の欠け口３１が設けられ、これによって、収納袋の安全弁が構成され、集塵機のホース５は主吸気パス１２、主吸気パス２３及び主吸気パス２４から収納袋４の内部の空気を吸い出し、それと同時に適当に副吸気パス２５から外界の空気を補充し、集塵機が乾吸してモータが過熱することを防止し、並びに収納袋４内の空気を適当に残して内部の収納物を保護する。
【００１０】
本実施例の応用実施動作は、図６に示すように、先ず第二弁体２を回して上昇させて第二ねじ環２１の内ねじ２１１を第一弁体１の外ねじ１１１から離脱させ、かつ圧迫リング２２は同時に上昇してバルブシート３から離脱し、それによって、バルブシート３は浮き上がった状態になる。こうなれば、図７に示すように、集塵機ホース５を第二弁体２の第二主吸気パス２３及び第二主吸気パス２４の外側に取り付け、かつ集塵機を始動して収納袋４の内部の空気を吸い出し、空気はバルブシート３を押し開けて第一主吸気パス１２、第二主吸気パス２３及び第二主吸気パス２４に進入して継続して吸い出される。収納袋４の内部の空気が吸い出され、または、吸われ終ると（図８に示すように）、それは、前述第二弁体２の副吸気パス２５構造（すなわち、ゲート状気孔２５１、通気孔２５２及び溝２５３）によって同時に収納袋４の外界の空気を吸い込んで補充するので、収納袋４の内部の空気が吸い出されて集塵機のモータが冷却する空気がないために過熱して焼き付くことが予防され、集塵機を保護する機能が達成される。また、収納袋４の空気が吸い出されて適当に収縮すれば、第二弁体２を回し（図９に示すように）、第二ねじ環２１の内ねじ２１１を再び第一弁体１の外ねじ１１１と締め付けることができ、かつ圧迫リング２２はバルブシート３を押し下げて第一主吸気パス１２の上端に貼り付けられて閉鎖するので（図３に示すように）、集塵機ホース５を取り外すことができる。本実施例には副吸気パス２５が設けられて、外界の空気を集塵機へ補充することができるので、収納袋４内の空気が吸い出され過ぎることを予防し、収納袋４の内部の収納物（衣類等）を変質しないように保護する。
【００１１】
また、本実施例の第一ねじ環１１には連接しない二本のねじ１１１及びねじ１１２が設けられ、使用者が第二弁体２を回して第二ねじ環２１の内ねじ２１１が外ねじ１１１から離脱すると、それは直ちに上部の外ねじ１１２と契合せず、第二弁体２は空回りして上昇状態にならないので、使用者はそれが適当な高さまで開いたとわかり、第二弁体２が第一弁体１から完全に外れることを防げる。
【図面の簡単な説明】
【００１２】
【図１】本考案の一実施例による収納袋の安全弁の組み合わせ状態を示す斜視図である。
【図２】本考案の一実施例による収納袋の安全弁を示す分解斜視図である。
【図３】本考案の一実施例による収納袋の安全弁の組み合わせ状態を示す断面図である。
【図４】本考案の一実施例による収納袋の安全弁の応用実施状態を示す斜視図である。
【図５】本考案の一実施例による収納袋の安全弁の第二弁体を示す斜視図である。
【図６】本考案の一実施例による収納袋の安全弁の応用実施動作を示す模式図である。
【図７】本考案の一実施例による収納袋の安全弁の応用実施動作を示す模式図である。
【図８】本考案の一実施例による収納袋の安全弁の応用実施動作を示す模式図である。
【図９】本考案の一実施例による収納袋の安全弁の応用実施動作を示す模式図である。
【符号の説明】
【００１３】
１  第一弁体、２  第二弁体、３  バルブシート、４  収納袋、５  吸塵機ホース、１１  第一ねじ環、１２  第一主吸気パス、１３  バルブポート、２１  第二ねじ環、２２  圧迫リング、２３  第二主吸気パス、２４  第二主吸気パス、２５  副吸気パス、３１  欠け口、１１１  外ねじ、１１２  外ねじ、２１１  内ねじ、２５１  ゲート状気孔、２５２  通気孔、２５３  溝
【図１】
0003110834.tif 000003
【図２】
0003110834.tif 000004
【図３】
0003110834.tif 000005
【図４】
0003110834.tif 000006
【図５】
0003110834.tif 000007
【図６】
0003110834.tif 000008
【図７】
0003110834.tif 000009
【図８】
0003110834.tif 000010
【図９】
0003110834.tif 000011